(57)【要約】【課題】フィルタに溜まったゴミを発塵することなく回収し、フィルタに溜まった粉塵を容易に廃棄することができる空気清浄機を提供することができる。【解決手段】フィルタにて粉塵を物理的に捕集する空気清浄機において、前記フィルタに捕集した粉塵を静電気で取り除く静電除去手段と、前記静電除去手段で取り除いた粉塵を一箇所に集める収集手段と、前記収集手段で集められた粉塵を容易に取り除くことができる粉塵廃棄容器を空気清浄機の本体内に備えたことを特徴とするフィルタ清掃機能付き空気清浄機により、フィルタ表面からの飛散を防止し清潔にフィルタを再生することができるフィルタ清掃機能付き空気清浄機を提供できる。【選択図】図１
2009248030.tif 000002
【特許請求の範囲】
【請求項１】
フィルタで粉塵を物理的に捕集する空気清浄機において、前記フィルタに捕集した粉塵を静電気力で取り除く静電除去手段と、前記静電除去手段で取り除いた粉塵を一箇所に集める収集手段と、前記収集手段で集められた粉塵を容易に取り除くことができる粉塵蓄積手段を空気清浄機の本体内に備えたことを特徴とする空気清浄機。
【請求項２】
前記静電除去手段として、フィルタ表面に沿って可動することを特徴とする請求項１記載の空気清浄機。
【請求項３】
前記静電除去手段として、静電気力を伴う電位を表面に発生させることを特徴とする請求項１または２記載の空気清浄機。
【請求項４】
前記静電気力を伴う電位として正負の極性で構成されることを特徴とする請求項１から３のいずれかに記載の空気清浄機。
【請求項５】
前記静電除去手段として、静電気力を発生させる材料が体積抵抗値を１０＾７〜１０＾１４Ω・ｃｍとする請求項１記載の空気清浄機。
【請求項６】
前記静電除去手段として、静電気力を発生させる材料の表面がセラミックで構成されたことを特徴とする請求項１または５記載の空気清浄機。
【請求項７】
前記セラミックとしてジルコニアが主成分で構成されたことを特徴とする請求項６記載の空気清浄機。
【請求項８】
前記静電気力を発生する極性間を狭くし電位を２００Ｖ以下にすることを特徴とする請求項１、３または４記載の空気清浄機。
【請求項９】
前記粉塵蓄積手段が前記フィルタの下部に設置していることを特徴とする請求項１記載の空気清浄機。
【請求項１０】
前記粉塵蓄積手段の帯電電位が０であることを特徴とする請求項１または９記載の空気清浄機。
【請求項１１】
前記粉塵蓄積手段の内容物が、見えること特徴とする請求項１、９または１０記載の空気清浄機。
【請求項１２】
前記粉塵蓄積手段に透明な材質を用いることを特徴とする請求項１、９、１０または１１記載の空気清浄機。
【請求項１３】
前記静電除去手段に対し、フィルタが可動することを特徴とする請求項１記載の空気清浄機。
【請求項１４】
前記静電除去手段が、電位を帯びた電線で構成されたことを特徴とする請求項１記載の空気清浄機。
【請求項１５】
前記静電除去手段が、繊維状の形状で構成されたことを特徴とする請求項１または１４記載の空気清浄機。
【発明の詳細な説明】
【技術分野】
【０００１】
本発明は、空気中の粉塵を捕集する空気清浄機において、フィルタに捕集された粉塵を容易に取り除く機能を備えたフィルタ清浄機能付き空気清浄機に関するものである。
【背景技術】
【０００２】
従来、この種の空気清浄機では、空気清浄の集塵部のメンテナンスが不可欠であり、しかもメンテナンス不足状態になれば空気清浄能力の低下等を引き起こす問題があった。
以下、その空気清浄機について図５を参照しながら説明する。図５に示すように、室内空気を通風させる空気流路Ａ、Ｂ、Ｃで構成され、空気浄化本体１０２の内側に集塵部１０１と送風機１０４と粉塵を除去するブラシ１０６が設置してある。前記空気流路Ａから、粉塵を含んだ空気は、集塵部１０４によって粉塵だけが捕集され、空気流路Ｂを流れ、清浄な空気として送風機１０４によって空気流路Ｃに送風され、室内へ供給される。集塵部１０４表面の捕集された粉塵が前記ブラシ１０６により集塵部１０４の上部から下部に向かってかきとられ、開閉板１０７に送られ、別の風路１０３に送られ、排気ファン１０５によって、排出される。
【特許文献１】特開平１１−１４０９３号公報
【発明の開示】
【発明が解決しようとする課題】
【０００３】
このような従来のフィルタ清浄機能付き空気清浄機では、ブラシで粉塵を落す際に、フィルタに捕集された粉塵を集塵部のフィルタ表面に物理的に押し込み、集塵部のフィルタに微粒子の粉塵を詰まらせ、フィルタの圧力損失を高め、送風する風量を低下させるため室内の清浄能力を低下させる。また、捕集された粉塵を取り除く時に、粉塵がフィルタ表面から空気に発塵し、かえって室内空気の汚すことがあるという課題がある。
【０００４】
本発明は、このような従来の課題を解決するものであり、フィルタを詰まらせることがなく、フィルタに捕集された粉塵を発塵することなく回収し、容易に廃棄することができる空気清浄機を提供することを目的とする。
【課題を解決するための手段】
【０００５】
本発明の空気清浄機は、上記目的を達成するために、フィルタで粉塵を物理的に捕集する空気清浄機において、前記フィルタに捕集した粉塵を静電気力で取り除く静電除去手段と、前記静電除去手段で取り除いた粉塵を一箇所に集める収集手段と、前記収集手段で集められた粉塵を容易に取り除くことができる粉塵蓄積手段を空気清浄機の本体内に備えたことを特徴とする空気清浄機としたものである。
【０００６】
また、他の手段は、前記静電除去手段として、フィルタ表面に沿って可動することを特徴とする請求項１記載の空気清浄機としたものである。
【０００７】
また、他の手段は、前記静電除去手段として、静電気力を伴う電位を表面に発生させることを特徴とする請求項１または２記載の空気清浄機としたものである。
【０００８】
また、他の手段は、前記静電気力を伴う電位として正負の極性で構成されることを特徴とする請求項１から３のいずれか記載の空気清浄機としたものである。
【０００９】
また、他の手段は、前記静電除去手段として、静電気力を発生させる材料が体積抵抗値を１０＾７〜１０＾１４Ω・ｃｍとする請求項１記載の空気清浄機としたものである。
【００１０】
また、他の手段は、前記静電除去手段として、静電気力を発生させる材料の表面がセラミックで構成されたことを特徴とする請求項１または５記載の空気清浄機としたものである。
【００１１】
また、他の手段は、前記セラミックとしてジルコニアが主成分で構成されたことを特徴とする請求項６記載の空気清浄機としたものである。
【００１２】
また、他の手段は、前記静電気力を発生する極性間を狭くし電位を２００Ｖ以下にすることを特徴とする請求項１、３または４記載の空気清浄機したものである。
【００１３】
また、他の手段は、前記粉塵廃棄容器が前記フィルタの下部に設置していることを特徴とする請求項１記載の空気清浄機したものである。
【００１４】
また、他の手段は、前記粉塵廃棄容器の帯電電位が０であることを特徴とする請求項１または９記載の空気清浄機したものである。
【００１５】
また、他の手段は、前記粉塵廃棄容器の内容物が、見えること特徴とする請求項１、９または１０記載の空気清浄機したものである。
【００１６】
また、他の手段は、前記粉塵廃棄容器に透明な材質を用いることを特徴とする請求項１、９、１０または１１記載の空気清浄機したものである。
【００１７】
また、他の手段は、前記静電除去手段に対し、フィルタが可動することを特徴とする請求項１記載の空気清浄機したものである。
【００１８】
また、他の手段は、前記静電除去手段が、電位を帯びた電線で構成されたことを特徴とする請求項１記載の空気清浄機したものである。
【００１９】
また、他の手段は、前記静電除去手段が、繊維状の形状で構成されたことを特徴とする請求項１または１４記載の空気清浄機したものである。
【発明の効果】
【００２０】
本発明によれば、フィルタにて粉塵を物理的に捕集する空気清浄機において、前記フィルタに捕集した粉塵を静電気で取り除く静電除去手段と、前記静電除去手段で取り除いた粉塵を一箇所に集める収集手段と、前記収集手段で集められた粉塵を容易に取り除くことができる粉塵廃棄容器を空気清浄機の本体内に備えたことを特徴とする空気清浄機にすることにより、フィルタを詰まらせることがなく、フィルタに捕集された粉塵を発塵することなく回収し、容易に廃棄することができるという効果のある空気清浄機を提供することができる。
【発明を実施するための最良の形態】
【００２１】
本発明の請求項１記載の空気清浄機は、フィルタにて粉塵を物理的に捕集する空気清浄機において、前記フィルタに捕集した粉塵を静電気で取り除く静電除去手段と、前記静電除去手段で取り除いた粉塵を一箇所に集める収集手段と、前記収集手段で集められた粉塵を容易に取り除くことができる粉塵廃棄容器を空気清浄機の本体内に備えたことを特徴とする空気清浄機としたものであり、フィルタに付着した微細粉塵や微生物やウイルスや粉塵を電気的に捕集し、フィルタの目を詰まらせず、フィルタ表面を清浄にすることが可能になるという作用を有する。
【００２２】
また、前記静電除去手段として、フィルタ表面に沿って可動することを特徴とする請求項１記載の空気清浄機としたものであり、フィルタ表面全体のゴミを捕集し、フィルタ表面を清浄することは勿論、装置の風量の低下を抑制することが可能となるという作用を有する。
【００２３】
また、前記静電除去手段として、静電気力を伴う電位を表面に発生させることを特徴とする請求項１または２記載の空気清浄機としたものであり、回収する際の表面電位の力でゴミを付着と脱離を行い、粉塵を取り外し粉塵蓄積手段に簡単にゴミを落すことができるという作用を有する。
【００２４】
また、前記静電気力を伴う電位として±の極性で構成されることを特徴とする請求項１または３記載の空気清浄機としたものであり、正極に帯電している粉塵と負極に帯電している粉塵を効率良く、正極と負極間に位置した粉塵は電位を帯び、捕集することが可能となるという作用を有する。
【００２５】
また、前記静電除去手段として、静電気力を発生させる材料の体積抵抗値を１０＾７〜１４Ω・ｃｍとする請求項１記載の空気清浄機としたものであり、静電除去手段の表面電位の発生が容易かつ電気を止めて時に自然と空気中に放電するため、ゴミの付着や脱離がさらに容易に制御することが可能になるという作用を有する。
【００２６】
また、前記静電除去手段として、静電気力を発生させる材料の表面がセラミックで構成されたことを特徴とする請求項１または５記載の空気清浄機としたものであり、表面に通電による電位が安定して発生し、かつ電気を止めて時には自然と安定的に空気中に放電するため、ゴミの付着や脱離がさらに容易に制御することが可能になるという作用を有する。
【００２７】
また、前記セラミックとしてジルコニアが主成分で構成されたことを特徴とする請求項１、５または６記載の空気清浄機としたものであり、表面に通電による電荷が安定して発生し電気を止めて時には容易に空気中に放電し、表面の形状変化がないなるという作用を有する。
【００２８】
また、前記静電気力を発生する極性間を狭くし電位を２００Ｖ以下にすることを特徴とする請求項１、３または４記載の空気清浄機としたものであり、低電圧での電位が与えられても捕集することが可能となるという作用を有する。
【００２９】
また、前記粉塵蓄積手段が前記フィルタの下部に設置していることを特徴とする請求項１記載の空気清浄機としたものであり、前記静電除去手段のより収集された粉塵が、静電電位停止により付着した粉塵が自然落下し、容易に粉塵蓄積手段に回収されるという作用を有する。
【００３０】
また、前記粉塵蓄積手段の帯電電位が０であることを特徴とする請求項１または９記載の空気清浄機としたものであり、静電気による粉塵蓄積手段表面への粉塵の付着を防止するという作用を有する。
【００３１】
また、前記粉塵蓄積手段の内容物が、見えること特徴とする請求項１、９または１０記載の空気清浄機としたものであり、廃棄する粉塵を目視にて確認することが可能になるという作用を有する。
【００３２】
また、前記粉塵蓄積手段が透明の材質を用いることを特徴とする請求項１、９、１０または１１記載の空気清浄機としたものであり、廃棄する粉塵を一目で確認することが可能になるという作用を有する。
【００３３】
また、前記静電除去手段に対し、フィルタが可動することを特徴とする請求項１記載の空気清浄機としたものであり、フィルタ表面のみを効率的に清浄することが可能となるという作用を有する。
【００３４】
また、前記静電除去手段が、±の電位を帯びた電線で構成されたことを特徴とする請求項１記載の空気清浄機としたものであり、電線により様々なフィルタ表面形状でも沿って静電気力を発生でき、静電気力を高めることが可能となるという作用を有する。
【００３５】
また、前記静電除去手段が、繊維状の形状で構成されたことを特徴とする請求項１または１４記載の空気清浄機としたものであり、繊維状で形成することで静電気力を高め、構成を容易にするという作用を有する。
【００３６】
以下、本発明の実施の形態について、図面を参照しながら説明する。
【００３７】
（実施の形態１）
図１に示すように、空気中の粉塵を捕集する集塵部１０１と、集塵部１０１に粉塵を含んだ空気を送風する送風機１０４と、集塵部１０１表面の粉塵を回収する静電除去デバイス１と、集塵部１０１表面全体の粉塵を回収させるため、集塵部１０１表面を沿って静電除去デバイス１を移動させる駆動部２と、静電除去デバイス１に付着した粉塵を取り外す粉塵蓄積手段には収集部３と、収集部３で取り外された粉塵を保管する粉塵廃棄容器４と、静電除去デバイス１に静電気を与える制御回路５とで、空気清浄機６が構成されている。
【００３８】
清掃方法は、集塵部１０１にて捕集された粉塵は、制御回路５から高い電圧が静電除去デバイス１に供給され、静電除去デバイス１の表面に静電気が発生し、集塵部１０１の表面に沿って駆動部２より静電除去デバイス１が可動され、静電除去デバイス１側の表面に集塵部１０１の表面の粉塵が移動する。そして、収集部３にて、制御回路５からの電気の供給を停止されると静電除去デバイス１に付着している粉塵が自然に落下し、粉塵蓄積手段に落ちる。駆動部２は、静電除去デバイス１と、歯車やベルトで稼動する機構を備え、また、図には示していないが可動部分については、空気清浄機６側に可動する方向を指示するような溝に歯車からなる構造になっている。
【００３９】
図２に斜視図を示す。空気清浄機６は、集塵部１０１の下部に粉塵廃棄容器４と静電除去デバイス１に付着した粉塵を取り外す収集部３を下部に備え、静電除去デバイス１に付着した粉塵を取り外すときに粉塵に自由落下による力を加え、回収し易い構成となる。
【００４０】
また、図３に静電除去デバイス１の詳細を示す。静電除去デバイス１は、集塵部１０１表面に対し、表面が平板の形状をし、表面には陰極部７と正極部８により、交互に電位が形成される。表面に形成された電位により、集塵部１０１に捕集された粉塵が負極に帯電しているものは、静電除去デバイス１の正極部８で形成された表面の電位に付着し、正極に帯電しているものは、陰極部７で形成された表面の電位に付着する。また、表面での電位勾配により、電気力線が発生し、帯電していない粉塵も帯電し、静電除去デバイス１に付着することが可能となる。
【００４１】
また、図４にさらに静電気力を高めた静電除去デバイス１の詳細を示す。陰極部７と正極部８の表面に表面に電荷が発生し易い表面電荷材９が形成される。
【００４２】
上記構成により、フィルタに付着した微細粉塵や微生物やウイルスや粉塵を電気的に捕集し、フィルタの目を詰まらせず、フィルタ表面を清浄にすることが可能になる。
【００４３】
このように本発明の実施の形態１の空気清浄機によれば、フィルタ表面からの飛散を防止し清潔にフィルタを再生することが可能となる。
【００４４】
なお、静電除去手段として、フィルタ表面に沿って可動することで、フィルタ表面全体のゴミを捕集し、フィルタ表面を清浄することは勿論、装置の風量の低下を抑制することが可能となる。
【００４５】
なお、静電除去手段として、静電気力を伴う電位を表面に発生させることで、回収する際の表面電位の力でゴミの付着と脱離を行い、ゴミを取り外し蓄積手段に簡単にゴミを落すことができる。
【００４６】
なお、静電気力を伴う電位として±の極性で構成されることで正極に帯電している粉塵と負極に帯電している粉塵を効率良く、正極と負極間に位置した粉塵は電位を帯び、捕集することが可能となる。
【００４７】
なお、静電除去手段として、静電気力を発生させる材料の体積抵抗値を１０＾７〜１０＾１４Ω・ｃｍとすることで静電除去手段の表面電位の発生が容易かつ電気を止めて時に自然と空気中に放電するため、ゴミの付着や脱離がさらに容易に制御することが可能になる。
【００４８】
なお、静電除去手段として、静電気力を発生させる材料の表面がセラミックで構成させることで表面に通電による電位が安定し、かつ電気を止めて時には自然と安定的に空気中に放電するため、ゴミの付着や脱離がさらに容易に制御することが可能になる。
【００４９】
なお、セラミックとしてジルコニアが主成分で構成することで表面に通電による電荷が安定し、電気を止めて時には容易に空気中に放電し、表面の形状変化がなく、静電気を繰り返し通電、形成することが可能となる。
【００５０】
なお、静電気力を発生する極性間を狭くし電位を２００Ｖ以下にすることで、電気的な安全性を高め、容易に作製することが可能となる。
【００５１】
なお、粉塵蓄積手段が前記フィルタの下部に設置していることで静電電位停止により付着した粉塵が自然落下し、容易に粉塵蓄積手段に回収される。
【００５２】
なお、粉塵蓄積手段の帯電電位が０であることで、回収された粉塵が容器の残存することを防止し、容易に粉塵を廃棄することが可能であることは言うまでもない。
【００５３】
なお、粉塵蓄積手段の内容物が見えることで、廃棄する粉塵が一目でわかり、容易に廃棄する時期がわかることは言うまでもない。
【００５４】
なお、粉塵蓄積手段が透明の材料を用いることで、粉塵蓄積手段全体での粉塵が一目でわかり、回収された粉塵量と廃棄する時期がわかることは言うまでもない。
【００５５】
なお、今回はフィルタに対し、静電除去手段が可動する構成を示したが、フィルタがロール状に形成され、静電除去手段は固定された後、フィルタが回転しフィルタ表面が静電除去手段と接することで、静電除去手段によりフィルタ表面の粉塵を付着してもその差異はなく、フィルタの可動する方でも容易な場合がある。
【００５６】
なお、静電除去手段の基材表面に電位を帯びた電線で構成することで、電位の位置や容易に作製でき、電位と距離による静電気力を最大限に高め、粉塵を付着し、容易にフィルタを清掃することが可能となる。
【００５７】
なお、前記静電除去手段が、繊維状の形状で構成することで、フィルタ表面の繊維に付着した粉塵を同繊維状で静電気力を高め取り除くことが可能となる。
【産業上の利用可能性】
【００５８】
静電気除去手段に取り付けた電極を用いて容易に粉塵が回収することができ、熱交換機を含む空調機のフィルタ表面の前方に取り付けることにより、ビルや室内の空調機の用途にも適用できる。
【図面の簡単な説明】
【００５９】
【図１】本発明の実施の形態１の空気清浄機の構成を示す断面図
【図２】同空気清浄機の構成を示す斜視図
【図３】同空気清浄機の静電除去手段の詳細を示す斜視図
【図４】同空気清浄機の静電除去手段の詳細を示す斜視図
【図５】従来のフィルタ清浄機能付き空気清浄装置を示す断面図
【符号の説明】
【００６０】
１  静電除去デバイス
２  駆動部
３  収集部
４  粉塵廃棄容器
５  制御回路
６  空気清浄機
７  陰極部
８  正極部
９  表面電荷材
【図１】
2009248030.tif 000003
【図２】
2009248030.tif 000004
【図３】
2009248030.tif 000005
【図４】
2009248030.tif 000006
【図５】
2009248030.tif 000007